(57)【要約】【課題】本発明は炭酸飲料の充填工場で、低温で充填された炭酸飲料を低温の状態のまま保冷箱に詰めて販売先へ輸送して、自動販売機あるいは冷蔵ショーケースへ収納することにより、充填工場でのウォーマを用いた加熱に使用する電気エネルギーの節約と時間の短縮を図り、販売先でも自動販売機あるいは冷蔵ショーケースの電気エネルギーの節約を図ることができ、夏場の暑い時期に十分に冷えていない状態での炭酸飲料の販売を効率よく阻止して、販売サービスの向上を図ることができる炭酸飲料の輸送方法を得るにある。【解決手段】炭酸飲料の充填工場で低温状態で充填された炭酸飲料を低温状態のまま保冷箱に詰める保冷箱詰め工程と、この保冷箱詰め工程で保冷箱に詰められた状態で販売先へ輸送する輸送工程と、この輸送工程後に販売先の自動販売機あるいは冷蔵ショーケースへ保冷箱より炭酸飲料を取り出し収納する収納工程とで炭酸飲料の輸送方法を構成している。【選択図】  図１
2004196437.tif 000002
【特許請求の範囲】
【請求項１】
炭酸飲料の充填工場で低温状態で充填された炭酸飲料を低温状態のまま保冷箱に詰める保冷箱詰め工程と、この保冷箱詰め工程で保冷箱に詰められた状態で販売先へ輸送する輸送工程と、この輸送工程後に販売先の自動販売機あるいは冷蔵ショーケースへ保冷箱より炭酸飲料を取り出し収納する収納工程とからなることを特徴とする炭酸飲料の輸送方法。
【請求項２】
炭酸飲料の充填工場で低温状態で充填された炭酸飲料を低温状態のまま保冷箱に詰める保冷箱詰め工程と、この保冷箱詰め工程で保冷箱に詰められた状態で販売先へ輸送する輸送工程と、この輸送工程後に販売先の自動販売機あるいは冷蔵ショーケース内へ、保冷箱より炭酸飲料を取り出し収納する収納工程と、この収納工程後に空になった保冷箱を充填工場へ輸送する返却輸送工程とを含むことを特徴とする炭酸飲料の輸送方法。
【発明の詳細な説明】
【０００１】
【発明の属する技術分野】
本発明は炭酸飲料の充填工場から販売先への炭酸飲料の輸送方法に関する。
【０００２】
【従来の技術】
従来、炭酸飲料の充填工場で低温状態で充填された炭酸飲料は、結露防止のためにウォーマによって５０℃〜６０℃に加熱した後、段ボール箱に箱詰めされ、販売先へ輸送されている。
【０００３】
【発明が解決しようとする課題】
従来の炭酸飲料の充填工場で低温（１℃〜５℃）で充填された炭酸飲料をウォーマで５０℃〜６０℃に加熱した後、段ボール箱に箱詰めされて販売先へ輸送され、販売先の自動販売機あるいは冷蔵ショーケース内に収納されているので、ウォーマでの５０℃〜６０℃に加熱するための電気エネルギーと時間がかかり、コスト高になるという欠点があるとともに、販売先へ輸送するための段ボール箱は再使用されず、輸送コスト高になるという欠点があった。
【０００４】
本発明は以上のような従来の欠点に鑑み、炭酸飲料の充填工場で、低温で充填された炭酸飲料を低温の状態のまま保冷箱に詰めて販売先へ輸送して、自動販売機あるいは冷蔵ショーケースへ収納することにより、充填工場でのウォーマを用いた加熱に使用する電気エネルギーの節約と時間の短縮を図るとともに、販売先では低温状態で輸送されてきた炭酸飲料を自動販売機あるいは冷蔵ショーケースに収納することにより、自動販売機あるいは冷蔵ショーケースの電気エネルギーの節約を図ることができ、夏場の暑い時期に十分に冷えていない状態での炭酸飲料の販売を効率よく阻止して、販売サービスの向上を図ることができる炭酸飲料の輸送方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するため、本発明は炭酸飲料の充填工場で低温状態で充填された炭酸飲料を低温状態のまま保冷箱に詰める保冷箱詰め工程と、この保冷箱詰め工程で保冷箱に詰められた状態で販売先へ輸送する輸送工程と、この輸送工程後に販売先の自動販売機あるいは冷蔵ショーケースへ保冷箱より炭酸飲料を取り出し収納する収納工程とで炭酸飲料の輸送方法を構成している。
【０００７】
【発明の実施の形態】
以下、図面に示す実施の形態により、本発明を詳細に説明する。
【０００８】
図１ないし図６に示す本発明の第１の実施の形態において、１は炭酸飲料の充填工場２で、低温状態で充填する炭酸飲料の充填工程で、この炭酸飲料の充填工程１は従来から一般に行なわれているシロップ３と脱気水４とをミキサーで混合する混合工程５と、この混合工程５で混合された混合水に炭酸ガスを混合させ、１℃〜５℃となるカーボネーション工程６と、このカーボネーション工程６後に缶あるいはビンやペットボトル等の容器に充填する充填工程７と、この充填工程７後、シーマーやキャッパーによって缶蓋あるいはキャップを取付けて密閉する密閉工程８とで構成されている。
【０００９】
９は前記炭酸飲料の充填工程１で低温状態で充填された炭酸飲料１０を、図３に示すように低温状態のまま保冷箱１１に詰める保冷箱詰め工程で、この保冷箱詰め工程９で使用される保冷箱１１は断熱材を用いて形成された箱、発泡スチロール箱を使用したり、畜冷剤を収納した箱が使用される。
【００１０】
１２は図４に示すように、前記保冷箱詰め工程９で保冷箱１１に詰められた状態で販売先へ輸送する輸送工程で、この輸送工程１２は従来から一般に行なわれているトラックを用いて行なう。
【００１１】
１３は図５に示すように、前記輸送工程１２後に販売先の自動販売機あるいは冷蔵ショーケース１４へ保冷箱１１より炭酸飲料を取り出して収納する収納工程で、この収納工程１３では保冷箱１１内の炭酸飲料１０は保冷状態にあるため、大気温よりも低温で、自動販売機あるいは冷蔵ショーケース１４内に収納することができる。
【００１２】
１５は前記収納工程１４後に空になった保冷箱１１を充填工場へ輸送する返却輸送工程である。
【００１３】
上記のような炭酸飲料の輸送方法を用いることにより、炭酸飲料の充填工場ではウォーマに使用する電気エネルギーと時間を省略することができる。
また、販売先の自動販売機や冷蔵ショーケース１４内へ収納される炭酸飲料は保冷されているため、販売に適した状態までの冷却にかかる電気エネルギーと時間の消費を低減することができる。
さらに、販売先の輸送に使用された保冷箱１１は、充填工場へ返却輸送されて再使用される。
【００１４】
【発明の異なる実施の形態】
次に、図７ないし図１０に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図７および図８に示す本発明の第２の実施の形態において、前記本発明の第１の実施の形態と主に異なる点は、炭酸飲料の充填工程１Ａで低温状態で充填された炭酸飲料１０の一部を、従来と同様にウォーマによって５０℃〜６０℃に加熱する加熱工程１６を行なった後、段ボール箱１７に詰める段ボール箱詰め工程１８を行なった点で、このような段ボール箱詰め工程１８を用いた炭酸飲料の輸送方法を行なっても、同様な作用効果が得られるとともに、冷やして販売しない販売先には段ボール箱詰め工程１８を行なったものを輸送することができる。
【００１６】
図９および図１０に示す本発明の第３の実施の形態において、前記本発明の第１の実施の形態と主に異なる点は、冷蔵車１９で保冷箱詰め工程９で保冷箱１１に詰められた状態で販売先へ輸送する輸送工程１２Ａを用いた点で、このような輸送工程１２Ａを用いた炭酸飲料の輸送方法を行なってもよい。
この場合、保冷箱は畜冷剤を用いない簡単な、結露で周囲を濡らさない箱を用いてもよい。
【００１７】
【発明の効果】
以上の説明から明らかなように、本発明にあっては次に列挙する効果が得られる。
【００１８】
（１）炭酸飲料の充填工場で低温状態で充填された炭酸飲料を低温状態のまま保冷箱に詰める保冷箱詰め工程と、この保冷箱詰め工程で保冷箱に詰められた状態で販売先へ輸送する輸送工程と、この輸送工程後に販売先の自動販売機あるいは冷蔵ショーケースへ保冷箱より炭酸飲料を取り出し収納する収納工程とからなるので、炭酸飲料の充填工場で低温状態で充填された炭酸飲料を保冷箱に詰めて販売先へ輸送することができる。
したがって、充填工場で結露防止のために従来行なっていたウォーマでの１℃〜５℃から５０℃〜６０℃への加熱による電気エネルギーと時間を節約でき、製造コストの低減を図ることができる。
【００１９】
（２）前記（１）によって、加熱することなく販売先の自動販売機あるいは冷蔵ショーケース内に収納することができる。
したがって、品質の安定した状態で供給することができる。
【００２０】
（３）前記（１）によって、保冷箱で輸送するため、低温状態で輸送することができるとともに、保冷箱の再使用が可能となり、資源の有効利用を図ることができる。
【００２１】
（４）前記（１）によって、自動販売機あるいは冷蔵ショーケース内には低温状態で輸送された炭酸飲料を収納することができる。
したがって、自動販売機や冷蔵ショーケースでの冷却負荷が小さくなり、電気エネルギーと冷却時間の節約を図ることができ、販売コストの低減を図ることができる。
また、自動販売機等の在庫管理を遠隔地で行い、補充を図れるようにしたシステムと連動させることにより、より効率の良い輸送ができる。
【００２２】
（５）前記（１）によって、保冷箱が炭酸飲料の保存庫として使用することができる。
【００２３】
（６）前記（１）によって、夏場の暑い時期に十分冷えていない炭酸飲料を販売しなければならないというような不具合を解消でき、顧客サービスの満足度を向上させることができる。
【００２４】
（７）請求項２も前記（１）〜（６）と同様な効果が得られる。
【図面の簡単な説明】
【図１】本発明の第１の実施の形態の工程図。
【図２】本発明の第１の実施の形態の炭酸飲料の充填工程の説明図。
【図３】本発明の第１の実施の形態の保冷箱詰め工程の説明図。
【図４】本発明の第１の実施の形態の輸送工程の説明図。
【図５】本発明の第１の実施の形態の収納工程の説明図。
【図６】本発明の第１の実施の形態の返却輸送工程の説明図。
【図７】本発明の第２の実施の形態の工程図。
【図８】本発明の第２の実施の形態の段ボール箱詰め工程の説明図。
【図９】本発明の第３の実施の形態の工程図。
【図１０】本発明の第３の実施の形態の輸送工程の説明図。
【符号の説明】
１、１Ａ：炭酸飲料の充填工程、
２：炭酸飲料の充填工場、３：シロップ、
４：脱気水、            ５：混合工程、
６：カーボネーション工程、
７：充填工程、          ８：密閉工程、
９：保冷箱詰め工程、    １０：炭酸飲料、
１１：保冷箱、          １２、１２Ａ：輸送工程、
１３：収納工程、
１４：自動販売機あるいは冷蔵ショーケース、
１５：返却輸送工程、    １６：加熱工程、
１７：段ボール箱、      １８：段ボール箱詰め工程、
１９：冷蔵庫。
【図１】
2004196437.tif 000003
【図２】
2004196437.tif 000004
【図３】
2004196437.tif 000005
【図４】
2004196437.tif 000006
【図５】
2004196437.tif 000007
【図６】
2004196437.tif 000008
【図７】
2004196437.tif 000009
【図８】
2004196437.tif 000010
【図９】
2004196437.tif 000011
【図１０】
2004196437.tif 000012